(57)【要約】【課題】数多い表示部から構成されるマルチディスプレイの場合であっても、操作対象たる表示部を正確に特定することができ、遠隔操作時の誤認識の問題を未然に防止できる表示装置、テレビジョン受像装置、特定方法及びコンピュータプログラム、並びに該コンピュータプログラムが記録される記録媒体を提供する。【解決手段】複数の表示部からなる表示ユニット対する利用者の視線方向が視線検出部２６２によって検出され、前記表示ユニットに対する遠隔操作部の向きが向き検出部２６３によって検出される。表示制御部２１の特定部は、視線検出部２６２による検出結果及び向き検出部２６３による検出結果に基づき、一の表示部１１を特定する。【選択図】図１
2012174057.tif 000002
【特許請求の範囲】
【請求項１】
複数の表示部からなる表示ユニットを有する本体と、遠隔操作部とを備え、利用者が何れかの表示部を選択的に操作可能な表示装置において、
前記表示ユニットに対する利用者の視線方向を検出する視線検出手段と、
前記表示ユニットに対する遠隔操作部の向きを検出する向き検出手段と、
前記視線検出手段及び向き検出手段の検出結果に基づき、一の表示部を特定する特定手段と
を備えることを特徴とする表示装置。
【請求項２】
前記特定手段は、
前記一の表示部の特定の後における前記視線検出手段の検出結果に基づき、他の表示部を特定するように構成されていることを特徴とする請求項１に記載の表示装置。
【請求項３】
前記一の表示部の特定の後、利用者の視線が該一の表示部及び何れかの表示部に所定回数交互に向けられていると前記視線検出手段によって検出された場合、
前記特定手段は前記何れかの表示部を前記他の表示部として特定するように構成されていることを特徴とする請求項２に記載の表示装置。
【請求項４】
前記本体は、
前記視線検出手段及び向き検出手段を備えており、
表示部の表示に係る設定情報を記憶する記憶部と、
該設定情報に基づき、前記一の表示部又は他の表示部に、該一の表示部及び他の表示部の設定情報を共に表示する情報表示手段と
を更に備えることを特徴とする請求項２又は３に記載の表示装置。
【請求項５】
前記特定手段によって、他の表示部が特定された後、何れかの表示部が新たに特定された場合、
前記情報表示手段は、既特定の他の表示部の設定情報を削除し、前記新たに特定された表示部の設定情報を表示するように構成されていることを特徴とする請求項４に記載の表示装置。
【請求項６】
前記情報表示手段は、
前記一の表示部及び他の表示部の設定情報の中、相違する部分を強調表示するように構成されていることを特徴とする請求項４又は５に記載の表示装置。
【請求項７】
請求項１から６の何れかに記載の表示装置と、
テレビ放送信号を受信する受信部とを備え、
前記テレビ放送信号に基づく画像が前記表示装置に表示されるように構成されていることを特徴とするテレビジョン受像装置。
【請求項８】
複数の表示部からなる表示ユニットを有する本体と、遠隔操作部とを備え、利用者が何れかの表示部を選択的に操作可能な表示装置にて、操作すべき表示部を特定する特定方法において、
前記表示ユニットに対する利用者の視線方向を検出する視線検出ステップと、
前記表示ユニットに対する遠隔操作部の向きを検出する向き検出ステップと、
前記視線検出ステップ及び向き検出ステップでの検出結果に基づき、一の表示部を特定する特定ステップと
を含むことを特徴とする特定方法。
【請求項９】
複数の表示部からなる表示ユニットを有する本体と、遠隔操作部とを備え、利用者が何れかの表示部を選択的に操作可能な表示装置を構成するコンピュータに、操作すべき表示部を特定させるコンピュータプログラムにおいて、
コンピュータに、前記表示ユニットに対する利用者の視線方向を検出させる視線検出ステップと、
コンピュータに、前記表示ユニットに対する遠隔操作部の向きを検出させる向き検出ステップと、
コンピュータに、前記視線検出ステップ及び向き検出ステップでの検出結果に基づき、一の表示部を特定させる特定ステップと
を実行させることを特徴とするコンピュータプログラム。
【請求項１０】
請求項９に記載のコンピュータプログラムを記録してあることを特徴とするコンピュータでの読み取りが可能な記録媒体。
【発明の詳細な説明】
【技術分野】
【０００１】
本発明は、複数の表示部を有し、該複数の表示部から何れかの表示部を特定できる表示装置、テレビジョン受像装置、特定方法及びコンピュータプログラム、並びに該コンピュータプログラムが記録される記録媒体に関する。
【背景技術】
【０００２】
近年の技術の発展は、各種電気機器における機能の充実化を実現してきた。機能の充実化の例としては一層ユーザフレンドリーな機能、つまり電気機器の使用上の利便さを求めた機能の具備が挙げられる。ディスプレイ、テレビジョン受像機等の表示装置においても例外でない。
【０００３】
例えば、特許文献１においては、隔板部の背面に取り付けられた撮像素子で撮像された映像を、隔板部正面に配設された画像表示素子にて表示する空間分割装置が開示されている。
【０００４】
また、特許文献２においては、複数のディスプレイが並んで構成される環境にて、利用者の視線を検出し、注目されている情報が表示されていると判断されたときに画像の記録を制御する表示制御装置が開示されている。
【０００５】
また、特許文献３においては、ユーザの視線の動きなどの行動を検知し、注視時間などによりＧＵＩ部位のサイズ、文字サイズ、文字フォント等を変更してＧＵＩを再構成するＧＵＩ生成装置が開示されている。
【０００６】
更に、特許文献４においては、利用者の視線等に基づき、主たる作業への集中度を判断する判断手段と、該判断手段の判断結果に基づいて、並行して表示される情報の表示条件を設定する設定手段と、該設定手段の設定結果に基づいて、主たる作業に並行して他の情報を表示する表示制御手段とを備える情報処理装置が開示されている。
【先行技術文献】
【特許文献】
【０００７】
【特許文献１】特開２００５−３２３１１４号公報
【特許文献２】特開２００８−７０６９６号公報
【特許文献３】特開２００８−９０４５４号公報
【特許文献４】特開２００９−１４６１９２号公報
【発明の概要】
【発明が解決しようとする課題】
【０００８】
一方、複数台のディスプレイを併設して同時に使用することにより、広い画面領域を有する、いわゆるマルチディスプレイの使用が増えている。
【０００９】
しかしながら、前記マルチディスプレイは、利用者が該マルチディスプレイを構成する何れかのディスプレイを遠隔操作装置にて制御する際、利用者が希望するディスプレイとは別のディスプレイが制御対象として選択されてしまう、いわゆる遠隔操作時の誤認識の問題が生じていた。
【００１０】
特許文献１〜特許文献４においては、利用者の視線を検出して該検出結果に基づき、夫々の処理を行うことについて記載されているものの、数多いディスプレイから構成されるマルチディスプレイの場合、利用者の視線に基づいて制御対象たるディスプレイを特定することは難しく、上述した問題の解決に適用できない。
【００１１】
また、特許文献１〜特許文献４では、このような問題の解決について工夫されておらず、上述した誤認識の問題を解決することは出来ない。
【００１２】
本発明は、斯かる事情に鑑みてなされたものであり、その目的とするところは、複数の表示部からなる表示ユニットを有する本体と、遠隔操作部とを備え、利用者が何れかの表示部を選択的に操作可能な表示装置において、前記表示ユニットに対する利用者の視線方向と、前記表示ユニットに対する遠隔操作部の向きとを検出し、前記視線方向の検出結果及び遠隔操作部の向きの検出結果に基づき、一の表示部を特定することにより、数多い表示部から構成される場合であっても、操作対象たる表示部を正確に特定することができ、上述した遠隔操作時の誤認識の問題を未然に防止できる表示装置、テレビジョン受像装置、特定方法及びコンピュータプログラム、並びに該コンピュータプログラムが記録される記録媒体を提供することにある。
【課題を解決するための手段】
【００１３】
本発明に係る表示装置は、複数の表示部からなる表示ユニットを有する本体と、遠隔操作部とを備え、利用者が何れかの表示部を選択的に操作可能な表示装置において、前記表示ユニットに対する利用者の視線方向を検出する視線検出手段と、前記表示ユニットに対する遠隔操作部の向きを検出する向き検出手段と、前記視線検出手段及び向き検出手段の検出結果に基づき、一の表示部を特定する特定手段とを備えることを特徴とする。
【００１４】
本発明にあっては、前記表示ユニットの前に居る利用者の視線方向を前記視線検出手段が検出し、前記向き検出手段は前記利用者が持つ遠隔操作部の向きを検出する。前記特定手段は前記視線検出手段及び向き検出手段の検出結果に基づき、一の表示部を特定する。例えば、前記特定手段は、前記視線検出手段の検出結果に係る表示部と、前記向き検出手段の検出結果に係る表示部とが一致する場合、斯かる表示部を、利用者が注目する表示部として特定する。
【００１５】
本発明に係る表示装置は、前記特定手段は、前記一の表示部の特定の後における前記視線検出手段の検出結果に基づき、他の表示部を特定するように構成されていることを特徴とする。
【００１６】
本発明にあっては、前記特定手段は、前記一の表示部を特定した後に、該一の表示部以外の他の表示部（例えば、該一の表示部との比較対象）を特定する場合は、前記視線検出手段の検出結果のみに基づき、特定を行う。
【００１７】
本発明に係る表示装置は、前記一の表示部の特定の後、利用者の視線が該一の表示部及び何れかの表示部に所定回数交互に向けられていると前記視線検出手段によって検出された場合、前記特定手段は前記何れかの表示部を前記他の表示部として特定するように構成されていることを特徴とする。
【００１８】
本発明にあっては、前記一の表示部が特定された後、利用者が該一の表示部と、該一の表示部以外の何れかの表示部とを交互に所定回数注視した場合、前記特定手段は前記何れかの表示部を前記他の表示部として特定する。
【００１９】
本発明に係る表示装置は、前記本体は、前記視線検出手段及び向き検出手段を備えており、表示部の表示に係る設定情報を記憶する記憶部と、該設定情報に基づき、前記一の表示部又は他の表示部に、該一の表示部及び他の表示部の設定情報を共に表示する情報表示手段とを更に備えることを特徴とする。
【００２０】
本発明にあっては、前記特定手段によって前記一の表示部及び他の表示部が特定された後、例えば、利用者からの指示に応じて、前記情報表示手段が前記記憶部から前記一の表示部及び他の表示部の設定情報を取得し、該一の表示部及び他の表示部の設定情報を前記一の表示部又は他の表示部に共に表示する。
【００２１】
本発明に係る表示装置は、前記特定手段によって、他の表示部が特定された後、何れかの表示部が新たに特定された場合、前記情報表示手段は、既特定の他の表示部の設定情報を削除し、前記新たに特定された表示部の設定情報を表示するように構成されていることを特徴とする。
【００２２】
本発明にあっては、前記他の表示部が特定された後、前記視線検出手段の検出結果に基づき、前記特定手段が、前記他の表示部以外の何れかの表示部を新たに特定した場合、前記情報表示手段は、表示していた既特定の他の表示部の設定情報を削除し、前記新たに特定された表示部の設定情報を表示する。
【００２３】
本発明に係る表示装置は、前記情報表示手段は、前記一の表示部及び他の表示部の設定情報の中、相違する部分を強調表示するように構成されていることを特徴とする。
【００２４】
本発明にあっては、前記情報表示手段は、前記一の表示部及び他の表示部の設定情報を前記一の表示部又は他の表示部に共に表示する際、前記一の表示部及び他の表示部の設定情報の中、相違する部分を強調表示する。
【００２５】
本発明に係るテレビジョン受像装置は、前述の発明の何れか一つに記載の表示装置と、テレビ放送信号を受信する受信部とを備え、前記テレビ放送信号に基づく画像が前記表示装置に表示されるように構成されていることを特徴とする。
【００２６】
本発明にあっては、前記受信部が受信したテレビ放送信号に基づく画像が前記表示装置に表示される。
【００２７】
本発明に係る特定方法は、複数の表示部からなる表示ユニットを有する本体と、遠隔操作部とを備え、利用者が何れかの表示部を選択的に操作可能な表示装置にて、操作すべき表示部を特定する特定方法において、前記表示ユニットに対する利用者の視線方向を検出する視線検出ステップと、前記表示ユニットに対する遠隔操作部の向きを検出する向き検出ステップと、前記視線検出ステップ及び向き検出ステップでの検出結果に基づき、一の表示部を特定する特定ステップとを含むことを特徴とする。
【００２８】
本発明に係るコンピュータプログラムは、複数の表示部からなる表示ユニットを有する本体と、遠隔操作部とを備え、利用者が何れかの表示部を選択的に操作可能な表示装置を構成するコンピュータに、操作すべき表示部を特定させるコンピュータプログラムにおいて、コンピュータに、前記表示ユニットに対する利用者の視線方向を検出させる視線検出ステップと、コンピュータに、前記表示ユニットに対する遠隔操作部の向きを検出させる向き検出ステップと、コンピュータに、前記視線検出ステップ及び向き検出ステップでの検出結果に基づき、一の表示部を特定させる特定ステップとを実行させることを特徴とする。
【００２９】
本発明にあっては、前記表示ユニットの前に居る利用者の視線方向が検出され、また前記利用者が持つ遠隔操作部の向きが検出され、該視線方向の検出結果及び遠隔操作部の向きの検出結果に基づき、利用者が注目する表示部として一の表示部が特定される。
【００３０】
本発明に係る記録媒体は、前述の発明のコンピュータプログラムを記録してあることを特徴とする。
【００３１】
本発明にあっては、前記記録媒体に前述のコンピュータプログラムを記録する。コンピュータが前記記録媒体からコンピュータプログラムを読み出して、前述の表示装置、テレビジョン受像装置、及び特定方法がコンピュータにより実現される。
【発明の効果】
【００３２】
本発明によれば、前記表示ユニットに対する利用者の視線方向と、前記表示ユニットに対する遠隔操作部の向きとが検出され、前記視線方向の検出結果及び遠隔操作部の向きの検出結果に基づき、一の表示部が特定されるので、たとえ前記表示ユニットが数多い表示部から構成される場合であっても、操作対象たる表示部を正確に特定することができ、上述した遠隔操作時の誤認識の問題を未然に防止できる。
【図面の簡単な説明】
【００３３】
【図１】本発明の実施の形態１に係るマルチディスプレイ装置の要部構成を示すブロック図である。
【図２】本発明の実施の形態１のマルチディスプレイ装置における、表示制御部の要部構成を示すブロック図である。
【図３】本発明の実施の形態１のマルチディスプレイ装置における、注目表示部の特定を説明するフローチャートである。
【図４】本発明の実施の形態２に係るマルチディスプレイ装置の要部構成を示すブロック図である。
【図５】本発明の実施の形態２のマルチディスプレイ装置における、表示制御部の要部構成を示すブロック図である。
【図６】本発明の実施の形態２のマルチディスプレイ装置における、注目表示部の表示設定情報の操作を説明するフローチャートである。
【図７】本発明の実施の形態２に係るマルチディスプレイ装置での、注目表示部及び対象表示部の表示設定情報の表示例を示す例示図である。
【図８】本発明の実施の形態２のマルチディスプレイ装置における、注目表示部の表示設定情報の操作を説明するフローチャートである。
【図９】本発明の実施の形態３に係るマルチディスプレイ装置の要部構成を示すブロック図である。
【図１０】本発明の実施の形態４に係るマルチディスプレイ装置の要部構成を示す機能ブロック図である。
【発明を実施するための形態】
【００３４】
以下に、本発明の実施の形態に係る、表示装置、特定方法及びコンピュータプログラムを、複数の表示部を有するいわゆるマルチディスプレイ装置に適用した場合を例として、図面に基づいて詳述する。
【００３５】
（実施の形態１）
図１は本発明の実施の形態１に係るマルチディスプレイ装置１の要部構成を示すブロック図である。マルチディスプレイ装置１は、店舗又は公共スペース等に設置され、施設の案内、展示物の説明、ニュース又は広告等の各種の情報を表す画像を表示する情報ディスプレイである。マルチディスプレイ装置１は、画像表示に係る各種ハードウェアからなる装置本体５０と、装置本体５０を遠隔操作するリモートコントロール装置３０（以下、略してリモコンと言う）とから構成されている。
【００３６】
装置本体５０は複数の表示部１１，１１，…で構成されるディスプレイ部１０（表示ユニット）を備える。表示部１１は、液晶ディスプレイ又はプラズマディスプレイ等の画像表示部であり、矩形に形成されている。ディスプレイ部１０は、複数の表示部１１，１１，…を縦横に並べて構成されてあり、複数の表示部１１，１１，…が組み合わさることにより矩形の巨大なディスプレイとなっている。ディスプレイ部１０は、例えば、縦に３個、横に３個の表示部１１が並んで構成されているとする。即ち、ディスプレイ部１０は、（３×３）個の表示部１１を含んでいる。
【００３７】
ディスプレイ部１０は、画像信号の出力インタフェースである接続部２４に接続されている。各表示部１１は個別に接続部２４に接続されている。なお、ディスプレイ部１０は、一の表示部１１が接続部２４に接続され、複数の表示部１１，１１，…が順繰りに接続されたデイジーチェーンにより接続部２４に接続された形態であってもよい。
【００３８】
マルチディスプレイ装置１は、外部から画像データを入力される入力部２５と、画像データが表す画像の大きさを調整するスケーリング部２２と、大きさを調整した画像を表示させる表示部１１を夫々割り当てる表示割当部２３とを備えている。
【００３９】
例えば、表示部１１の解像度が縦Ａ及び横Ｂである場合に、スケーリング部２２は、画像の解像度が縦（Ａ×３）及び横（Ｂ×３）になるように画像をスケーリングし、スケーリングした画像を（３×３）個の画像に分割する処理を行う。
【００４０】
表示割当部２３は、接続部２４に接続された（３×３）個の表示部１１の夫々に（３×３）個の画像のいずれかを表示させる処理を行う。解像度が縦（Ａ×３）及び横（Ｂ×３）になるようにスケーリングされた画像の一部である（３×３）個の画像の夫々を各表示部１１が表示することにより、ディスプレイ部１０は、（３×３）個の表示部１１を用いて、各表示部１１よりも縦に３倍及び横に３倍大きい画像を表示する。このようにして、ディスプレイ部１０は、各表示部１１よりも大きな画像を表示する。
【００４１】
スケーリング部２２及び表示割当部２３には、夫々の動作を制御する表示制御部２１が接続されている。なお、実施の形態１に係るマルチディスプレイ装置１は、外部から入力された画像データに基づいた画像を表示するのではなく、内部に画像データを記憶しておき、記憶している画像データに基づいた画像を表示する形態であってもよい。
【００４２】
また、実施の形態１に係るマルチディスプレイ装置１は、外部を撮影する撮影部２７を備える。詳しくは、ディスプレイ部１０にはＣＣＤ（Charge Coupled Device ）イメージセンサ等の撮像素子を備えるカメラ４０が設けられており、撮影部２７はカメラ４０を介して外部を撮影した撮影画像を取得して生成する。
【００４３】
また、カメラ４０は、ディスプレイ部１０の表示面に対向している人間の顔及び該人間の持つリモコン３０を撮影できる位置に配置されている。例えば、カメラ４０は、ディスプレイ部１０の上下左右、又は表示部１１の枠部分に配置されるように構成しても良い。
【００４４】
撮影部２７には、撮影部２７が生成した撮影画像に基づき、人間の顔、人間の視線及びリモコン３０の向き等を検出する処理を行う検出部２６が接続されている。また、検出部２６は、操作者検出部２６１、視線検出部２６２及び向き検出部２６３を有している。
【００４５】
操作者検出部２６１は、既存の技術を用いて、ディスプレイ部１０の前に居る操作者を検出する。詳しくは、操作者検出部２６１は、撮影部２７からの撮影画像に基づき、ディスプレイ部１０の前の人間の顔を検出する処理を行う。すなわち、操作者検出部２６１は、前記撮影画像の中から肌の色に近い領域を抽出し、抽出した領域内に、目、眉及び口等の人間の顔に含まれる特徴的な形状の図形が含まれるか否かを判定し、特徴的な形状の図形が含まれる場合に人間の顔を検出したと判定する。更に、例えば、抽出した領域が一定以上の大きさを有するか否かを判定し、抽出した領域が一定以上の大きさを有する場合に人間の顔を検出したと判定しても良い。操作者検出部２６１が人間の顔を検出することにより、マルチディスプレイ装置１は、ディスプレイ部１０の表示面に顔を向けた人間、すなわち、ディスプレイ部１０の方を見ている操作者を検出する。
【００４６】
また、これに限るものでない。操作者検出部２６１は、ディスプレイ部１０の表示面までの距離が予め定められた所定距離以下に人間がいる場合のみ、操作者を検出するように構成しても良い。また、検出された人間がリモコン３０を有している場合のみ、斯かる人間を操作者であるとして検出するように構成しても良い。
【００４７】
視線検出部２６２は、既存の技術を用いて、操作者の視線方向を検出する。すなわち、視線検出部２６２は、操作者検出部２６１によって検出された操作者の視線が、ディスプレイ部１０の何れの表示部１１に向けられているかを検出する。斯かる検出には、撮影部２７からの撮影画像に基づき、操作者の顔の映像により、顔の向き又は瞳孔の位置を認識する既存の技術が用いられる。
【００４８】
詳しくは、操作者の頭部の画像を所定の基準画像（例えば、真ん中の表示部１１を見ているときの頭部画像）と比較することにより、操作者の視線が何処に向いているかを認識するものであってもよく、一般に「視線追跡法」と呼ばれる原理を使用して視線方向を検出するものであっても良い。該視線追跡法としては、瞳に光を当てた時に瞳の中にできる虚像（プルキンエ像）を利用する方法、黒目及び白目の境目の動きを捉える方法等の種々の方法が挙げられる。
【００４９】
向き検出部２６３は、操作者が持っているリモコン３０の向きを検出する。すなわち、向き検出部２６３は操作者検出部２６１によって検出された操作者の持つリモコン３０が、ディスプレイ部１０の何れの表示部１１に向けられているかを検出する。斯かる検出には既存の技術が用いられる。
【００５０】
例えば、撮影部２７からの撮影画像から取得できる、リモコン３０の向きによって変化するリモコン３０の先端面の画像の変化に基づき、リモコン３０の向きを検出する構成であっても良く、リモコン３０の先端面に所定形状のポインタを設け、該ポインタの向きを判断することにより、リモコン３０がディスプレイ部１０のどの表示部１１を指しているかを検出する構成であっても良い。
【００５１】
また、これに限るものでない。例えば、ディスプレイ部１０の縁部に、リモコン３０からの操作信号の受光部を複数個設け、リモコン３０の所定のボタンが押されたときに、それぞれの受光部が受光した強度に基づいて、リモコン３０の向いている方向を検知するように構成しても良い。
【００５２】
図２は本発明の実施の形態１のマルチディスプレイ装置１における、表示制御部２１の要部構成を示すブロック図である。表示制御部２１は、ＣＰＵ２１１、ＲＯＭ２１２、ＲＡＭ２１３、特定結果表示部２１４及び特定部２１５を備えており、視線検出部２６２及び向き検出部２６３からの信号が示す検出結果に基づいて、ディスプレイ部１０の何れかの表示部１１を特定及び選択する処理、特定された表示部１１に対してその旨を表示させる処理等を行う。
【００５３】
ＲＯＭ２１２には各種の制御プログラム、演算用のパラメータのうちの基本的に固定のデータ等が予め格納されており、ＲＡＭ２１３はデータを一時的に記憶し、記憶順、記憶位置等に関係なく読み出すことが可能である。また、ＲＡＭ２１３は、例えば、ＲＯＭ２１２から読み出されたプログラム、該プログラムを実行することにより発生する各種データ、該実行の際に適宜変化するパラメータ等を記憶する。
【００５４】
ＣＰＵ２１１は、ＲＯＭ２１２に予め格納されている制御プログラムをＲＡＭ２１３上にロードして実行することによって、上述した各種ハードウェアの制御を行い、装置全体を本発明のマルチディスプレイ装置１として動作させる。
【００５５】
特定部２１５は、視線検出部２６２による検出結果及び向き検出部２６３による検出結果に基づいて、ディスプレイ部１０の何れかの表示部１１を特定し、操作者が注目する表示部（以下、注目表示部と言う。）として選択する。
【００５６】
詳しくは、特定部２１５は、視線検出部２６２による検出結果に係る表示部と、向き検出部２６３による検出結果に係る表示部とが一致する場合、斯かる表示部を注目表示部（一の表示部）として特定する。一方、視線検出部２６２による検出結果に係る表示部と、向き検出部２６３による検出結果に係る表示部とが一致しない場合、特定部２１５は向き検出部２６３による検出結果に係る表示部を注目表示部として特定する。
【００５７】
特定結果表示部２１４は、ディスプレイ部１０の何れかの表示部１１が注目表示部として特定された場合、斯かる表示部１１が注目表示部として選択された旨を操作者に通知する。例えば、特定結果表示部２１４は注目表示部として選択された表示部１１を点滅させ、又は明度、色を変えて表示する。
【００５８】
図３は本発明の実施の形態１のマルチディスプレイ装置１における、注目表示部の特定を説明するフローチャートである。
人間がディスプレイ部１０の前に居る場合、カメラ４０によって該人間が撮影され（ステップＳ１０１）、撮影された撮影画像は撮影部２７にて再生される。
【００５９】
次いで、検出部２６の操作者検出部２６１は、撮影部２７からの撮影画像に基づき、ディスプレイ部１０の前の人間の顔を抽出して操作者の検出を行い、ＣＰＵ２１１は操作者検出部２６１の検出結果に基づき、操作者が検出されたか否かを判定する（ステップＳ１０２）。操作者検出部２６１による操作者の検出の詳細は既に記載しており、詳しい説明を省略する。
【００６０】
前記人間がディスプレイ部１０から遠い、又はリモコン３０を持っておらず、操作者検出部２６１による操作者の検出が失敗したことにより、ＣＰＵ２１１によって、操作者が検出されていないと判定された場合（ステップＳ１０２：ＮＯ）、処理はステップＳ１０１に戻る。
【００６１】
一方、操作者検出部２６１による操作者の検出が成功し、ＣＰＵ２１１によって操作者が検出されたと判定された場合（ステップＳ１０２：ＹＥＳ）、視線検出部２６２は撮影部２７からの撮影画像に基づき、前記操作者の視線が、ディスプレイ部１０のどの表示部１１に向けられているかを検出する（ステップＳ１０３）。視線検出部２６２による操作者の視線の検出の詳細は既に記載しており、詳しい説明を省略する。視線検出部２６２による操作者の視線の検出結果はＲＡＭ２１３に一時的に記憶される。
【００６２】
次いで、向き検出部２６３は、前記操作者の持つリモコン３０が、ディスプレイ部１０のどの表示部１１に向けられているかを検出する（ステップＳ１０４）。向き検出部２６３によるリモコン３０の向きの検出の詳細は既に記載しており、詳しい説明を省略する。向き検出部２６３によるリモコン３０の向きの検出結果はＲＡＭ２１３に一時的に記憶される。
【００６３】
特定部２１５は、ＲＡＭ２１３から視線検出部２６２による検出結果と、向き検出部２６３による検出結果とを読み出し、これら結果に係る表示部１１が一致するか否かを判定する（ステップＳ１０５）。
【００６４】
特定部２１５は視線検出部２６２による検出結果に係る表示部１１と、向き検出部２６３による検出結果に係る表示部１１とが一致すると判定した場合（ステップＳ１０５：ＹＥＳ）、斯かる表示部１１を注目表示部として特定する（ステップＳ１０６）。
【００６５】
次いで、特定結果表示部２１４は、例えば、注目表示部として選択された表示部１１を点滅させることにより、斯かる表示部１１が注目表示部として選択された旨を表示する（ステップＳ１０７）。
【００６６】
以降、受光部（図示せず）を介して受け付けられるリモコン３０から指示信号は、前記注目表示部に対するものであるとして処理される。
【００６７】
また、特定部２１５は視線検出部２６２による検出結果に係る表示部１１と、向き検出部２６３による検出結果に係る表示部１１とが一致しないと判定した場合（ステップＳ１０５：ＮＯ）、向き検出部２６３による検出結果に係る表示部１１を注目表示部として特定し（ステップＳ１０８）、ステップＳ１０７に処理をすすめる。
【００６８】
（実施の形態２）
実施の形態１に記載したような方法によって注目表示部が特定された後において、操作者が該注目表示部を操作する際、他の表示部１１を参考にする場合が想定できる。実施の形態２に係るマルチディスプレイ装置１は、このような場合に対応できるように構成されている。
【００６９】
図４は本発明の実施の形態２に係るマルチディスプレイ装置１の要部構成を示すブロック図であり、図５は本発明の実施の形態２のマルチディスプレイ装置１における、表示制御部２１の要部構成を示すブロック図である。
【００７０】
実施の形態２に係るマルチディスプレイ装置１は、実施の形態１に係るマルチディスプレイ装置１と略同様の構成を有するが、記憶部２８及び計時部２９を更に備えている。
【００７１】
記憶部２８は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部２８には、ディスプレイ部１０の各表示部１１に係る各種情報が記憶されている。例えば、記憶部２８には、表示部１１毎に、斯かる表示部１１における画像表示に係る設定情報（以下、表示設定情報と言う）を記憶している。
【００７２】
更に、記憶部２８には、後述する交互回数（Ｎ）又は停止時間（Ｔ）との比較に用いられる、夫々の閾値が記憶されている。
【００７３】
計時部２９はＣＰＵ２１１の指示に従って、所定時点からの時間の経過を計測する。
【００７４】
また、実施の形態２に係るマルチディスプレイ装置１の表示制御部２１は、ＣＰＵ２１１、ＲＯＭ２１２、ＲＡＭ２１３、特定結果表示部２１４及び特定部２１５に加えて、設定情報表示部２１６を更に備えている。
【００７５】
実施の形態２に係るマルチディスプレイ装置１において、特定部２１５は、注目表示部が特定された後に、視線検出部２６２による検出結果にのみ基づいて、該注目表示部以外の何れかの表示部１１を、該注目表示部との比較対象たる表示部（以下、対象表示部と言う。）として特定して選択できる。この際、特定結果表示部２１４は、斯かる表示部１１が対象表示部（他の表示部）として選択された旨を操作者に通知する。
【００７６】
設定情報表示部２１６は、注目表示部として特定された表示部１１における表示設定情報、対象表示部として特定された表示部１１における表示設定情報等を何れかの表示部１１に表示する。
【００７７】
例えば、設定情報表示部２１６は、記憶部２８から前記注目表示部に係る表示設定情報と、前記対象表示部に係る表示設定情報とを読み出し、該注目表示部又は対象表示部に、並べて表示する。以下においては、注目表示部及び対象表示部夫々の表示設定情報を該注目表示部に共に表示する場合を例として説明する。
【００７８】
（実施例１）
以下、操作者が対象表示部の表示設定情報を参考にして注目表示部の表示設定情報を操作する場合を説明する。図６は本発明の実施の形態２のマルチディスプレイ装置１における、注目表示部の表示設定情報の操作を説明するフローチャートである。説明の便宜上、操作者は図４の表示部１１Ａの表示設定情報の変更を望んでおり、表示部１１Ａが注目表示部として特定され、図４の表示部１１Ｂが対象表示部として特定される場合を例として説明する。
【００７９】
先ず、表示部１１Ａの表示設定情報の変更を望む操作者は、実施の形態１にて説明したように、リモコン３０を表示部１１Ａに向かせると共に、表示部１１Ａを注視する。これにより、表示部１１Ａが注目表示部として選択される。
【００８０】
この後、操作者はリモコン３０を適宜操作することにより、表示部１１Ａの表示設定情報を表示する旨を指示する。斯かる際、表示制御部２１の設定情報表示部２１６は、受光部（図示せず）を介して前記指示を表す指示信号を受け付け、記憶部２８から表示部１１Ａ（注目表示部）の表示設定情報を読み出し表示部１１Ａに表示する（ステップＳ２０１）。
【００８１】
次いで、ＣＰＵ２１１は前記受光部を監視することにより、リモコン３０から表示設定情報を変更する旨の指示を受け付けたか否かを判定する（ステップＳ２０２）。ＣＰＵ２１１はリモコン３０から表示設定情報を変更する旨の指示を受け付けたと判定した場合（ステップＳ２０２：ＹＥＳ）、すなわち、操作者が他の表示部１１を参考とせず、注目表示部（表示部１１Ａ）の表示設定情報を変更する操作を行う場合は、設定情報表示部２１６に表示設定情報の変更を指示する。ＣＰＵ２１１からの指示に応じて、設定情報表示部２１６は、受け付けた指示に基づいて変更された表示設定情報を表示部１１Ａに表示する（ステップＳ２１１）。
【００８２】
一方、操作者が他の表示部１１を参考にして、注目表示部（表示部１１Ａ）の表示設定情報を変更する場合、該注目表示部と、前記他の表示部１１（対象表示部）とを見比べるために、操作者の視線が注目表示部及び対象表示部へ交互に移動することになる。
【００８３】
従って、ＣＰＵ２１１はリモコン３０から表示設定情報を変更する旨の指示を受け付けていないと判定した場合（ステップＳ２０２：ＮＯ）、検出部２６の視線検出部２６２の検出結果に基づき、操作者の視線が移動したか否かを判定する（ステップＳ２０３）。
【００８４】
ＣＰＵ２１１は操作者の視線が移動していないと判定した場合（ステップＳ２０３：ＮＯ）、処理を再びステップＳ２０２に戻す。
【００８５】
また、ＣＰＵ２１１は操作者の視線が移動したと判定した場合（ステップＳ２０３：ＹＥＳ）、交互に視線が移動したか否かを判定する（ステップＳ２０４）。すなわち、ＣＰＵ２１１は、視線検出部２６２の検出結果に係る表示部１１として、前記注目表示部と、何れかの表示部１１とが交互しているか否かを判定する。
【００８６】
ＣＰＵ２１１は交互に視線が移動していないと判定した場合（ステップＳ２０４：ＮＯ）、処理を再びステップＳ２０２に戻す。
【００８７】
一方、ＣＰＵ２１１は交互に視線が移動したと判定した場合（ステップＳ２０４：ＹＥＳ）、すなわち、視線検出部２６２の検出結果に係る表示部１１として、前記注目表示部（表示部１１Ａ）と、前記何れかの表示部１１とが交互する場合、交互する回数の「Ｎ」（以下、交互回数と言う）をカウントする。
【００８８】
最初、交互回数（Ｎ）は「０」と設定されており、ＣＰＵ２１１による交互回数（Ｎ）のカウント結果はＲＡＭ２１３に記憶される。
【００８９】
例えば、視線検出部２６２の検出結果に係る表示部１１が、注目表示部（表示部１１Ａ）、表示部１１Ｂ、注目表示部の順に交互した場合、すなわち、操作者の視線が注目表示部から表示部１１Ｂに移動し、再び注目表示部に戻った場合、ＣＰＵ２１１はこれを１回としてカウントする。
【００９０】
ＣＰＵ２１１は交互に視線が移動したと判定した場合（ステップＳ２０４：ＹＥＳ）、ＲＡＭ２１３に記憶されている交互回数（Ｎ）に「１」を足して新たに交互回数（Ｎ）として（ステップＳ２０５）、更新する。
【００９１】
次いで、ＣＰＵ２１１は、更新された交互回数（Ｎ）が、記憶部２８に記憶されている閾値以上であるか否かを判定する（ステップＳ２０６）。前記閾値は、例えば「３」である。
【００９２】
ＣＰＵ２１１は、更新された交互回数（Ｎ）が閾値以上でないと判定した場合（ステップＳ２０６：ＮＯ）、処理を再びステップＳ２０３に戻す。
【００９３】
一方、ＣＰＵ２１１によって更新された交互回数（Ｎ）が閾値以上であると判定された場合（ステップＳ２０６：ＹＥＳ）、特定部２１５は表示部１１Ｂを対象表示部として特定する（ステップＳ２０７）。
【００９４】
次いで、特定結果表示部２１４は、例えば、対象表示部として選択された表示部１１Ｂの明度を変えて表示することにより、表示部１１Ｂが対象表示部として選択された旨を表示する（ステップＳ２０８）。
【００９５】
この後、設定情報表示部２１６は、記憶部２８に記憶されている対象表示部（表示部１１Ｂ）の表示設定情報を読み出し（ステップＳ２０９）、注目表示部（表示部１１Ａ）に、注目表示部の表示設定情報と並べて表示する（ステップＳ２１０）。
【００９６】
図７は本発明の実施の形態２に係るマルチディスプレイ装置１での、注目表示部及び対象表示部の表示設定情報の表示例を示す例示図である。図７に示すように、表示設定情報の項目ごとに注目表示部及び対象表示部における設定値が並べて表示され、夫々の表示設定情報が比較し易くなる。
【００９７】
斯かる際、設定情報表示部２１６は、注目表示部及び対象表示部の表示設定情報の中、互いに相違する部分（例えば、図７における「輝度」の設定値）を、点滅、下線等により、強調して表示したり、色を変えて表示するようにしても良い。
【００９８】
この後、操作者が注目表示部の表示設定情報を変更する操作を行い、ＣＰＵ２１１がリモコン３０を介して表示設定情報の変更の指示を受け付け、設定情報表示部２１６は、受け付けた指示に基づいて変更された表示設定情報を注目表示部に表示する（ステップＳ２１１）。
【００９９】
以上の記載においては、記憶部２８がディスプレイ部１０の各表示部１１に係る表示設定情報等をまとめて記憶している場合を例として説明したがこれに限るものでない。例えば、各表示部１１が記憶部を備え、該記憶部に自機の表示設定情報等を記憶するように構成し、設定情報表示部２１６が各表示部１１の記憶部から表示設定情報を取得するようにしても良い。
【０１００】
更に、交互回数（Ｎ）が所定の閾値以上であるか否かを判定する際、斯かる判定は単位時間当たりの交互回数（Ｎ）に基づいて行われるように構成しても良い。
【０１０１】
また、以上の記載においては、操作者がリモコン３０を適宜操作して、注目表示部の表示設定情報を表示する旨を指示することにより、該注目表示部の表示設定情報が表示され（ステップＳ２０１）、その後に、対象表示部が特定される（ステップＳ２０７）場合を例として説明したがこれに限るものでない。
【０１０２】
例えば、対象表示部が特定され（ステップＳ２０７）、その旨が対象表示部に表示された（ステップＳ２０８）後に、操作者から注目表示部の表示設定情報を表示する旨の指示を受け付けた場合、注目表示部の表示設定情報と、対象表示部の表示設定情報とを共に表示するように構成しても良い。
【０１０３】
本発明に係るマルチディスプレイ装置１は以上に記載したような構成を有するので、たとえ、ディスプレイ部１０が広く、注目表示部及び対象表示部が離れている場合でも、該注目表示部及び対象表示部の比較が容易になり、操作者の作業効率が向上される。
【０１０４】
（実施例２）
図８は本発明の実施の形態２のマルチディスプレイ装置１における、注目表示部の表示設定情報の操作を説明するフローチャートである。説明の便宜上、操作者は図４の表示部１１Ａの表示設定情報の変更を望んでおり、表示部１１Ａが注目表示部として特定され、図４の表示部１１Ｂが対象表示部として特定される場合を例として説明する。
【０１０５】
先ず、表示部１１Ａの表示設定情報の変更を望む操作者がリモコン３０を表示部１１Ａに向かせると共に、表示部１１Ａを注視することにより、表示部１１Ａが注目表示部として選択される。
【０１０６】
この後、操作者はリモコン３０を適宜操作することにより、表示部１１Ａの表示設定情報を表示する旨を指示する。斯かる際、表示制御部２１の設定情報表示部２１６は、受光部（図示せず）を介して前記指示を表す指示信号を受け付け、記憶部２８から表示部１１Ａ（注目表示部）の表示設定情報を読み出し表示部１１Ａに表示する（ステップＳ３０１）。
【０１０７】
次いで、ＣＰＵ２１１は前記受光部を監視することにより、リモコン３０から表示設定情報を変更する旨の指示を受け付けたか否かを判定する（ステップＳ３０２）。ＣＰＵ２１１がリモコン３０から表示設定情報を変更する旨の指示を受け付けたと判定した場合（ステップＳ３０２：ＹＥＳ）、すなわち、操作者が他の表示部１１を参考とせず、注目表示部（表示部１１Ａ）の表示設定情報を変更する操作を行う場合は、設定情報表示部２１６は受け付けた指示に基づいて変更された表示設定情報を表示部１１Ａに表示する（ステップＳ３１０）。
【０１０８】
一方、操作者が他の表示部１１を参考にして、注目表示部（表示部１１Ａ）の表示設定情報を変更する場合、見比べのために前記他の表示部１１（対象表示部）を所定時間注視する場合が想定できる。
【０１０９】
従って、ＣＰＵ２１１はリモコン３０から表示設定情報を変更する旨の指示を受け付けていないと判定した場合（ステップＳ３０２：ＮＯ）、検出部２６の視線検出部２６２の検出結果に基づき、操作者の視線が変更したか否かを判定する（ステップＳ３０３）。すなわち、ＣＰＵ２１１は視線検出部２６２の検出結果に係る表示部１１が注目表示部から他の表示部１１に変更したか否かを判定する。
【０１１０】
ＣＰＵ２１１は操作者の視線が変更していないと判定した場合（ステップＳ３０３：ＮＯ）、処理を再びステップＳ３０２に戻す。
【０１１１】
例えば、操作者が見比べのために表示部１１Ｂに視線を移した場合、ＣＰＵ２１１は操作者の視線が変更したと判定し（ステップＳ３０３：ＹＥＳ）、操作者の視線が停止したか否かを判定する（ステップＳ３０４）。詳しくは、ＣＰＵ２１１は、計時部２９の計時結果に基づき、操作者の視線が所定時間変更していなか監視し、所定時間変更しない場合、視線が停止したと判定する。斯かる際、ＣＰＵ２１１は計時部２９に停止時間（Ｔ）の計時開始を指示する。
【０１１２】
ＣＰＵ２１１は操作者の視線が停止していないと判定した場合（ステップＳ３０４：ＮＯ）、処理を再びステップＳ３０２に戻す。
【０１１３】
一方、ＣＰＵ２１１は操作者の視線が停止したと判定した場合（ステップＳ３０４：ＹＥＳ）、すなわち、操作者の視線が表示部１１Ｂに所定時間以上止まっている場合、計時部２９に停止時間（Ｔ）の計時開始を指示し、計時部２９の計時結果に基づき、停止時間（Ｔ）が記憶部２８に記憶されている閾値以上であるか否かを判定する（ステップＳ３０５）。前記閾値は、例えば「３秒」である。
【０１１４】
ＣＰＵ２１１は、停止時間（Ｔ）が閾値以上でないと判定した場合（ステップＳ３０５：ＮＯ）、処理を再びステップＳ３０４に戻す。このような処理の繰り返しが行われる間、ＣＰＵ２１１によって停止時間（Ｔ）が閾値以上であると判定された場合（ステップＳ３０５：ＹＥＳ）、特定部２１５は表示部１１Ｂを対象表示部として特定する（ステップＳ３０６）。
【０１１５】
次いで、特定結果表示部２１４は、例えば、対象表示部として選択された表示部１１Ｂの明度を変えて表示することにより、表示部１１Ｂが対象表示部として選択された旨を表示する（ステップＳ３０７）。
【０１１６】
この後における、ステップＳ３０８からステップＳ３１０までの処理は、実施例１における、ステップＳ２０９からステップＳ２１１までの処理と同様であり、詳しい説明を省略する。
【０１１７】
実施の形態１と同様の部分については、同一の符号を付して詳細な説明を省略する。
【０１１８】
（実施の形態３）
図９は本発明の実施の形態３に係るマルチディスプレイ装置１の要部構成を示すブロック図である。実施の形態３に係るマルチディスプレイ装置１は、実施の形態２に係るマルチディスプレイ装置１と略同様の構成を有するが、受信部３１を更に備えている。
【０１１９】
受信部３１は図示しないアンテナ又は有線放送の信号線等に接続されている。受信部３１は該アンテナ又は信号線を介してデジタル放送の放送信号を受信し、所定のチャンネル即ち特定の周波数帯の放送信号をストリームデータに変換し、該ストリームデータから前記チャンネルのＴＳデータを生成し、該ＴＳデータに基づいて番組の映像及び音声を表す映像データ及び音声データを生成する。このように生成された映像データ及び音声データは入力部２５に入力される。
【０１２０】
従って、前記映像データ及び音声データに基づいてディスプレイ部１０又は表示部１１にテレビジョン番組を出力でき、本発明の実施の形態３に係るマルチディスプレイ装置１はテレビジョン受像装置としての役割をなすことが出来る。
【０１２１】
実施の形態２と同様の部分については、同一の符号を付して詳細な説明を省略する。
【０１２２】
（実施の形態４）
図１０は本発明の実施の形態４に係るマルチディスプレイ装置１の要部構成を示す機能ブロック図である。実施の形態４のマルチディスプレイ装置１は、動作を行うためのコンピュータプログラムが、Ｉ／Ｆ３３を介してＣＤ−ＲＯＭ等の可搬型記録媒体Ａで提供することも可能であるように構成されている。さらに、実施の形態４のマルチディスプレイ装置１は、前記コンピュータプログラムを、図示しない外部装置から通信部３２を介してダウンロードすることも可能であるように構成されている。以下に、その内容を説明する。
【０１２３】
実施の形態４のマルチディスプレイ装置１は外装（又は内装）の記録媒体読み取り装置（図示せず）を備えており、該記録媒体読み取り装置に、装置本体５０に対する利用者の視線方向を検出させ、装置本体５０に対するリモコン３０の向きを検出させ、視線検出結果及び向き検出結果に基づき、一の表示部１１を特定させ、一の表示部１１の特定の後における視線検出結果に基づき、他の表示部１１を特定させるプログラム等が記録された可搬型記録媒体Ａを挿入して、例えば、ＣＰＵ２１１がＲＯＭ２１２にこのプログラムをインストールする。かかるプログラムはＲＡＭ２１３にロードして実行される。これにより、実施の形態１乃至３の本発明のマルチディスプレイ装置１として機能する。
【０１２４】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１２５】
通信部３２を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１２６】
実施の形態２と同様の部分については、同一の符号を付して詳細な説明を省略する。
【符号の説明】
【０１２７】
１  マルチディスプレイ装置
１０  ディスプレイ部
１１  表示部
２１  表示制御部
２８  記憶部
３０  リモコン
３１  受信部
５０  装置本体
２１１  ＣＰＵ
２１５  特定部
２１６  設定情報表示部
２６２  視線検出部
２６３  向き検出部
Ａ  記録媒体
【図１】
2012174057.tif 000003
【図２】
2012174057.tif 000004
【図３】
2012174057.tif 000005
【図４】
2012174057.tif 000006
【図５】
2012174057.tif 000007
【図６】
2012174057.tif 000008
【図７】
2012174057.tif 000009
【図８】
2012174057.tif 000010
【図９】
2012174057.tif 000011
【図１０】
2012174057.tif 000012